(57)【要約】【課題】精度よいレベル検知を行うことが可能なタンクレーダ用台座を提供する。【解決手段】タンクレーダ用台座１は、タンク１２の天井壁上に位置するように設けられ、タンク１２の内部と連通する筒状の台座本体部２と、台座本体部２上に設けられ、タンクレーダ１５が載置される載置部３と、を備えている。ここで、タンクレーダ用台座１は、台座本体部２の下端に連続するように設けられ、タンク１２の内部に突出する突出部４を有している。これにより、タンクレーダ１５から発せられる電波がタンク１２内の構造に起因して遮断されたり干渉を受けたりするのを防ぐことができると共に、当該電波の指向性を高めることができる。【選択図】図１
2014041051.tif 000002
【特許請求の範囲】
【請求項１】
船舶においてタンクレーダを支持するタンクレーダ用台座であって、
タンクの天井壁上に位置するように設けられ、前記タンクの内部と連通する筒状の台座本体部と、
前記台座本体部上に設けられ、前記タンクレーダが載置される載置部と、を備え、
前記台座本体部の下端に連続するように設けられ、前記タンクの内部に突出する突出部を有すること、を特徴とするタンクレーダ用台座。
【請求項２】
前記天井壁の下面には、その先端部が前記台座本体部側へ向けて折れ曲がるＬ字状のロンジが設けられており、
前記突出部は、前記台座本体部において前記Ｌ字状のロンジ側の下端に設けられていること、を特徴とする請求項１記載のタンクレーダ用台座。
【請求項３】
前記突出部は、その突出長さが前記天井壁の下面に設けられたロンジの上下方向における長さと等しくなるように突出すること、を特徴とする請求項１又は２記載のタンクレーダ用台座。
【発明の詳細な説明】
【技術分野】
【０００１】
本発明は、船舶においてタンクレーダを支持するタンクレーダ用台座に関する。
【背景技術】
【０００２】
従来の船舶では、タンク内に貯留された液体内容物のレベルを検知するためのものとして、タンクレーダが用いられる場合がある。このようなタンクレーダは、下記の非特許文献１に示すように、タンクレーダ用台座に載置されて支持される。
【先行技術文献】
【特許文献】
【０００３】
【非特許文献１】東京計器株式会社ホームページ“タンクレーダ”、［平成２４年８月８日検索］、インターネット＜URL:http://www.tokyo-keiki.co.jp/marine/j/products/saab_star.html＞
【発明の概要】
【発明が解決しようとする課題】
【０００４】
ここで、上記従来技術では、例えばタンク内が複雑な構造を有する場合、当該構造に起因してタンクレーダからの電波が遮断等される可能性があり、精度よいタンクのレベル検知を行うことが困難になるおそれがある。
【０００５】
本発明は、このような実情に鑑みてなされたものであり、精度よいレベル検知を行うことが可能なタンクレーダ用台座を提供することを課題とする。
【課題を解決するための手段】
【０００６】
上記課題を解決するため、本発明に係るタンクレーダ用台座は、船舶においてタンクレーダを支持するタンクレーダ用台座であって、タンクの天井壁上に位置するように設けられ、タンクの内部と連通する筒状の台座本体部と、台座本体部上に設けられ、タンクレーダが載置される載置部と、を備え、台座本体部の下端に連続するように設けられ、タンクの内部に突出する突出部を有すること、を特徴とする。
【０００７】
この本発明のタンクレーダ用台座では、タンク内に突出する突出部により、タンクレーダから発せられる電波がタンク内の構造に起因して遮断されたり干渉を受けたりするのを防ぐことができると共に、当該電波の指向性を高めることができる。その結果、本発明によれば、精度よいレベル検知を行うことが可能となる。
【０００８】
また、天井壁の下面には、その先端部が台座本体部側へ向けて折れ曲がるＬ字状のロンジが設けられており、突出部は、台座本体部においてＬ字状のロンジ側の下端に設けられていることが好ましい。ここで、先端部が台座本体部側へ向けて折れ曲がるＬ字状のロンジにあっては、その構造上、タンクレーダの電波を特に遮断し易い。そのため、上述のように、当該Ｌ字状のロンジ側に突出部が設けられていると、タンクレーダからの電波の遮断及び干渉を防ぐという上記作用効果は特に有効なものとなる。
【０００９】
また、突出部は、その突出長さが天井壁の下面に設けられたロンジの上下方向における長さと等しくなるように突出することが好ましい。この場合、タンクレーダからの電波の遮断及び干渉を防ぐという上記作用効果を、好適に発揮することができる。
【発明の効果】
【００１０】
本発明によれば、精度よいレベル検知を行うことが可能となる。
【図面の簡単な説明】
【００１１】
【図１】一実施形態に係るタンクレーダ用台座の一部を断面化して示す側面図である。
【図２】図１のII−II線に沿っての断面図である。
【発明を実施するための形態】
【００１２】
以下、添付図面を参照して、本発明の好適な実施形態について詳細に説明する。なお、以下の説明において同一又は相当部分には同一符号を付し、重複する説明を省略する。また、「上」「下」の語は、船体の上下方向に対応したものである。
【００１３】
図１は一実施形態に係るタンクレーダ用台座の一部を断面化して示す側面図であり、図２は図１のII−II線に沿っての断面図である。図１，２に示すように、本実施形態のタンクレーダ用台座１は、船舶１０においてタンクレーダユニット１１を支持するものである。このタンクレーダ用台座１は、液体内容物を貯留するタンク１２の天井壁１３を構成する上甲板１４上に配設されている。ここでのタンクレーダ用台座１は、一例として、上方から見て、タンク１２の前後端部であって対角線上の位置に一対配置されている。
【００１４】
船舶１０としては、タンカー等の船舶が挙げられ、適用される船舶は限定されるものではない。また、タンク１２についても、同様に限定されるものではなく、燃料タンクやバラストタンク等の種々のタンクが挙げられる。
【００１５】
タンクレーダユニット１１は、タンクレーダ１５を少なくとも含んで構成されている。タンクレーダ１５は、タンク１２内における液体内容物のレベル（液位）を、電波（ビーム）を用いて非接触で検知する。なお、タンクレーダは“タンクゲージ”とも称され、タンクレーダからの電波は“レーダ電波”又は“ビーム”とも称される。
【００１６】
このタンクレーダ用台座１は、円筒状の台座本体部２と、台座本体部２上に設けられた載置部３と、台座本体部２の下端の一部に形成された突出部４と、を備えている。台座本体部２は、上甲板１４上（タンク１２外）に位置するように当該上甲板１４に固定されている。具体的には、台座本体部２は、その下端が上甲板１４の貫通孔１４ａに内挿された状態で、上甲板１４に溶接されている。これにより、台座本体部２は、その筒孔としての内部がタンク１２の内部に連通している。また、台座本体部２の上下寸法は、少なくとも、タンクレーダ１５によるレベル検知において推奨される推奨距離以上とされている。
【００１７】
載置部３は、タンクレーダユニット１１が載置されるものであり、台座本体部２の軸中心上にタンクレーダ１５が配置されるようタンクレーダユニット１１を保持する。載置部３は、フランジ２ａ，３ａを介して台座本体部２にボルト固定されている。これにより、載置部３のタンクレーダユニット１１（タンクレーダ１５）から電波Ｂが下方へ向けて発せられ、この電波は台座本体部２内を下方へ通じてタンク１２内へと到達可能となっている。
【００１８】
突出部４は、台座本体部２の下端に連続するように設けられ、タンク１２の内部に突出する。つまり、突出部４は、台座本体部２の下端に一体的に設けられ、タンク１２内において下方へ突出している。換言すると、突出部４は、台座本体部２の下端から、タンク１２内で下方に向けて張り出すよう延在する形状を有している。突出部４は、上方視で円弧状断面を呈している（図２参照）。この突出部４は、その基端側の外周面が上甲板１４に溶接されて固定されている。
【００１９】
ここで、上甲板１４（天井壁１３）の下面１６には、骨部材としてのロンジ１７が複数形成されている。これら複数のロンジ１７は、その先端部が水平に折れ曲がるＬ字状を呈している。ここでは、複数のロンジ１７のうちタンクレーダ用台座１に近接する一のロンジ１７ａ（図１の左側のロンジ１７）は、先端部が台座本体部２側へ向けて折れ曲がるＬ字状のロンジを構成する。そして、突出部４にあっては、台座本体部２において当該ロンジ１７ａ側の下端に設けられている。
【００２０】
具体的には、突出部４は、台座本体部２の下端におけるロンジ１７ａ側の一部がタンク１２内に突出するように設けられている。図２に示すように、ここでの突出部４は、上方から見て、台座本体部２におけるロンジ１７ａに最も近接する周方向１／８〜１／４の領域にて突出している。なお、突出部４が設けられるロンジ１７ａ側としては、これに限定されず、中心線Ｃからロンジ１７ａ側であってもよいし、その少なくとも一部であってもよい。
【００２１】
図１，２に戻り、突出部４の側面４ａは、台座本体部２の下面との間でエッジが形成されない（台座本体部２の下面と滑らかに連なる）ような曲面を含んでいる。つまり、突出部４の側面４ａは、上方に行くに従って周方向外側へ滑らかに拡がっている。また、突出部４は、その突出長さがロンジ１７ａの上下方向における長さと等しくなるように突出している。
【００２２】
以上のように構成された本実施形態のタンクレーダ用台座１では、タンク１２内に突出する突出部４により、タンクレーダ１５から発せられる電波を、タンク１２内の障害物に左右されずにボトムまで確実に届くように伝播させることが可能となる。すなわち、タンクレーダ１５の電波がタンク１２内のロンジ１７等で遮断されたり干渉を受けたりするのを防ぎ、且つ、当該電波の指向性を高めることができる。その結果、本実施形態によれば、精度よいレベル検知を行うことが可能となる。
【００２３】
また、先端部が台座本体部２側へ向けて折れ曲がるＬ字状のロンジ１７ａは、その折曲形状に特に起因してタンクレーダ１５の電波の進行を阻害し易く、電波を遮断し易い。この点、本実施形態では、上述したように、当該Ｌ字状のロンジ１７ａ側に突出部４が設けられているため、電波の進行を阻害を防止でき、タンクレーダ１５からの電波の遮断及び干渉を防ぐという上記作用効果は顕著となる。
【００２４】
また、本実施形態では、上述したように、突出部４の突出長さがロンジ１７の上下方向における長さと等しくなるように突出している。このように、突出部４の突出長さとロンジ１７の上下長さとが略等しいと、タンクレーダ１５からの電波の遮断及び干渉を防ぐという上記作用効果を、好適に発揮することができる。つまり、例えば、突出部４が長尺のために突出部４の製造が困難になること、及び、突出部４が短尺のために電波の遮断及び干渉を十分に防止できないこと、を回避できる。
【００２５】
ちなみに、本実施形態では、上記のように、突出部４の側面４ａが曲面とされており、台座本体部２の下面との間でエッジが形成されないようになっている。よって、例えばタンク１２としてバラストタンクを適用した場合において、タンクレーダ用台座１の塗装を好適に行うことができ、錆びの発生を抑制することが可能となる。
【００２６】
以上、本発明の好適な実施形態について説明したが、本発明は上記実施形態に限られるものではなく、各請求項に記載した要旨を変更しない範囲で変形し、又は他のものに適用したものであってもよい。
【００２７】
例えば上記実施形態では、台座本体部２を円筒状としたが、多角筒状としていてもよく、要は、台座本体部は筒状であればよい。また、上記実施形態では、タンク１２内にＬ字状のロンジ１７が設けられているが、これに限定されず、Ｔ字状又はＩ字状のロンジが設けられている場合や、トランスが設けられている場合もある。
【００２８】
また、上記実施形態では、上方視においてタンク１２の前後端部の対角線上にタンクレーダ用台座１を一対配置したが、これに限定されるものではない。タンクレーダ用台座１は、タンク１２の仕様や容量等に応じて適宜配置可能であり、例えば上方視においてタンク１２の中央に１つ配置されていてもよい。
【符号の説明】
【００２９】
１…タンクレーダ用台座、２…台座本体部、３…載置部、４…突出部、１０…船舶、１２…タンク、１３…天井壁、１５…タンクレーダ、１６…下面、１７，１７ａ…ロンジ。
【図１】
2014041051.tif 000003
【図２】
2014041051.tif 000004